(57)【要約】【課題】携帯端末において、ユーザの音声通話時における省電力と当該ユーザの誤入力の低減とを実現する。【解決手段】携帯端末（１）は、ユーザの音声通話時において、マイク（６１）に入力された音声信号の大きさの程度を判定する音声レベル判定部（１３）と、音声レベル判定部（１３）の判定結果に基づいて、上記音声通話時におけるタッチパネル（５０）の動作を制御するタッチパネル制御部（１２）と、を備えている。【選択図】図１
2018142918.tif 000002
【特許請求の範囲】
【請求項１】
音声入力部、入力部、および表示部を備えた携帯端末であって、
ユーザの音声通話時において、上記音声入力部に入力された音声の大きさの程度を判定する音声レベル判定部と、
上記音声レベル判定部の判定結果に基づいて、上記音声通話時における上記入力部および上記表示部の少なくともいずれかの動作を制御する通話制御部と、を備えていることを特徴とする携帯端末。
【請求項２】
上記通話制御部は、上記音声が大きくなるにつれて、上記表示部の明るさをより暗く設定することを特徴とする請求項１に記載の携帯端末。
【請求項３】
上記音声レベル判定部が、上記音声の大きさが所定の閾値以上であることを判定した場合に、
上記通話制御部は、上記表示部を消灯させることを特徴とする請求項１または２に記載の携帯端末。
【請求項４】
上記音声レベル判定部が、上記音声の大きさが所定の閾値以上であることを判定した場合に、
上記通話制御部は、上記入力部に入力受付を無効化させることを特徴とする請求項１から３のいずれか１項に記載の携帯端末。
【請求項５】
上記携帯端末が、当該携帯端末に着脱可能な保護カバーによって保護された状態をカバー閉状態として、
上記保護カバーには、上記カバー閉状態において、上記入力部および上記表示部の少なくともいずれかを部分的に露出させる開口部が設けられており、
上記携帯端末が上記カバー閉状態にあるか否かを示すカバー状態判定部をさらに備えており、
上記通話制御部は、上記カバー状態判定部の判定結果にさらに基づいて、上記音声通話時における上記入力部および上記表示部の少なくともいずれかの動作を制御することを特徴とする請求項１から４のいずれか１項に記載の携帯端末。
【請求項６】
上記入力部および上記表示部は、当該入力部と当該表示部とが一体として設けられたタッチパネルであり、
上記通話制御部は、上記音声通話時における上記タッチパネルの動作を制御することを特徴とする請求項１から５のいずれか１項に記載の携帯端末。
【請求項７】
音声入力部、入力部、および表示部を備えた携帯端末の制御方法であって、
ユーザの音声通話時において、上記音声入力部に入力された音声の大きさの程度を判定する音声レベル判定工程と、
上記音声レベル判定工程における判定結果に基づいて、上記音声通話時における上記入力部および上記表示部の少なくともいずれかの動作を制御する通話制御工程と、を含んでいることを特徴とする携帯端末の制御方法。
【請求項８】
請求項１に記載の携帯端末としてコンピュータを機能させるための制御プログラムであって、上記音声レベル判定部および上記通話制御部としてコンピュータを機能させるための制御プログラム。
【発明の詳細な説明】
【技術分野】
【０００１】
本発明は、音声通話機能を備えた携帯端末に関する。
【背景技術】
【０００２】
近年、音声通話機能を有する携帯端末（例：スマートフォン）に関して、様々な技術が提案されている。例えば、特許文献１には、ユーザの利便性を向上させる観点から、電話着信に対するユーザの応答（オフフック操作）を容易化するための技術が開示されている。具体的には、特許文献１の携帯端末は、ユーザによる所定の音声入力（所定のキーワードの発話）に応じて、オフフック操作を受け付ける。
【先行技術文献】
【特許文献】
【０００３】
【特許文献１】特開２０１４−１８７６１９号公報（２０１４年１０月２日公開）
【発明の概要】
【発明が解決しようとする課題】
【０００４】
しかしながら、ユーザの音声通話時における、音声入力に応じた携帯端末の動作制御には、なお改善の余地が残されている。本発明の一態様は、携帯端末において、ユーザの音声通話時における省電力と当該ユーザの誤入力の低減とを実現することを目的とする。
【課題を解決するための手段】
【０００５】
上記の課題を解決するために、本発明の一態様に係る携帯端末は、音声入力部、入力部、および表示部を備えた携帯端末であって、ユーザの音声通話時において、上記音声入力部に入力された音声の大きさの程度を判定する音声レベル判定部と、上記音声レベル判定部の判定結果に基づいて、上記音声通話時における上記入力部および上記表示部の少なくともいずれかの動作を制御する通話制御部と、を備えている。
【０００６】
また、上記の課題を解決するために、本発明の一態様に係る携帯端末の制御方法は、音声入力部、入力部、および表示部を備えた携帯端末の制御方法であって、ユーザの音声通話時において、上記音声入力部に入力された音声の大きさの程度を判定する音声レベル判定工程と、上記音声レベル判定工程における判定結果に基づいて、上記音声通話時における上記入力部および上記表示部の少なくともいずれかの動作を制御する通話制御工程と、を含んでいる。
【発明の効果】
【０００７】
本発明の一態様に係る携帯端末によれば、ユーザの音声通話時における省電力と当該ユーザの誤入力の低減とを実現することが可能となるという効果を奏する。
【０００８】
また、本発明の一態様に係る携帯端末の制御方法によっても、同様の効果を奏する。
【図面の簡単な説明】
【０００９】
【図１】実施形態１に係る携帯端末の要部の構成を示す機能ブロック図である。
【図２】図１の携帯端末の外観を示す斜視図である。
【図３】（ａ）は図１の携帯端末に装着可能なカバーを概略的に示す図であり、（ｂ）は（ａ）カバー閉状態における図１の携帯端末を示す図である。
【図４】（ａ）は小窓に表示される着信画面の一例を示す図であり、（ｂ）は小窓に表示される通話中画面の一例を示す図である。
【図５】（ａ）は図１の携帯端末において検出された音声信号の波形の一例を示す図であり、（ｂ）は（ａ）の波形に応じたタッチパネルの明るさの調整方法を説明するための図である。
【図６】（ａ）は図１の携帯端末において検出された音声信号の波形の別の例を示す図であり、（ｂ）は（ａ）の波形に応じたタッチパネルの明るさの調整方法を説明するための図である。
【図７】図１の携帯端末におけるタッチパネルの制御の処理の流れを例示する図である。
【図８】実施形態２に係る携帯端末の要部の構成を示す機能ブロック図である。
【図９】図８の携帯端末におけるタッチパネルの制御の処理の流れを例示する図である。
【発明を実施するための形態】
【００１０】
〔実施形態１〕
以下、本発明の実施形態１について、図１〜図７に基づいて詳細に説明する。以下に述べるように、実施形態１では、携帯端末１としてスマートフォンを例示しているが、本発明の一態様に係る携帯端末はこれに限定されない。当該携帯端末は、フィーチャーフォンであってもよいし、あるいはタブレット端末または携帯型パーソナルコンピュータ等であってもよい。当該携帯端末は、音声通話機能を備えた携帯端末であればよい。
【００１１】
実施形態１では、複数のモードのうち、通話モード（ユーザに音声通話を行わせるモード）での動作が可能な携帯端末１を例示して説明する。
【００１２】
（携帯端末１の概要）
図１は、携帯端末１の要部の構成を示す機能ブロック図である。はじめに、図１を参照して、携帯端末１の概要について述べる。携帯端末１は、制御部１０（制御装置）、タッチパネル５０（入力部，表示部）、音声入出力部６０、通信部７０、近接センサ８０、および記憶部９０を備えている。また、携帯端末１は、後述するカバー１００（保護カバー）を装着可能である（後述の図３を参照）。
【００１３】
制御部１０は、携帯端末１の各部を統括的に制御する。制御部１０の機能は、記憶部９０に記憶されたプログラムを、ＣＰＵ（Central Processing Unit）が実行することで実現されてよい。制御部１０の詳細については後述する。記憶部９０は、制御部１０が実行する各種のプログラム、およびプログラムによって使用されるデータを格納する。
【００１４】
通信部７０は、携帯端末１が外部装置との通信（無線通信または有線通信）を行うための通信インターフェースである。以下に述べるように、通話モード（ユーザの音声通話時）においては、携帯端末１は、例えば通信部７０を介した無線通信によって、ユーザの通話相手が所有する別の携帯端末（相手側端末）と通信を行ってよい。
【００１５】
図２は、携帯端末１の外観を示す斜視図である。タッチパネル５０は、入力部５１（入力面，操作面）と表示部５２（表示面）とが重畳され一体化された部材である。実施形態１では、ユーザの操作の利便性を向上させる観点から、タッチパネル５０を用いている。但し、後述するように、入力部５１と表示部５２とは別体として設けられてもよい。
【００１６】
入力部５１は、物体（例：ユーザの指）の接触または近接を検出することで、ユーザの入力操作を受け付ける。表示部５２は、各種情報を画像として表示する。表示部５２は、各種情報を視覚的にユーザに報知する報知部としての役割を果たす。以下に述べるように、表示部５２は、ユーザによる所定の入力操作を受け付けるための画像（ボタン，アイコン）を表示してもよい（後述の図４を参照）。
【００１７】
以降、説明の便宜上、携帯端末１のタッチパネル５０の側（換言すれば、表示部５２の側）を、携帯端末１の表側（または正面）と称する。なお、携帯端末１の表側とは反対側を、携帯端末１の裏側（または背面）と称する。
【００１８】
なお、携帯端末１の裏面から表面に向かう方向を、厚さ方向（Ｚ方向）とも称する。また、携帯端末１（換言すれば、表示部５２）における、短辺の方向を短辺方向（Ｘ方向）、長辺の方向を長辺方向（Ｙ方向）とも称する。
【００１９】
音声入出力部６０は、マイク６１（音声入力部）およびスピーカ６２（音声出力部）を備えている。マイク６１は、集音機能を有しており、音声信号（音波）の入力を受け付ける音声入力部としての役割を果たす。マイク６１は、取得した音声信号を、制御部１０（より具体的には、後述する通話処理部１１および音声レベル判定部１３）へ与える。
【００２０】
マイク６１には、ユーザの発話音または周辺環境のノイズ等の様々な音声信号が入力される。通話モードにおいて、マイク６１は、制御部１０（通話処理部１１）および通信部７０を介して、取得した音声信号を相手側端末に送信する。相手側端末に送信された当該音声信号は、相手側端末のスピーカから出力される。
【００２１】
スピーカ６２は、音声信号を出力する音声出力部としての役割を果たす。通話モードにおいて、スピーカ６２は、相手側端末のマイクによって取得された音声信号を、制御部１０（通話処理部１１）および通信部７０を介して取得する。そして、スピーカ６２は、取得した当該音声信号を出力する。このように、音声入出力部６０および通信部７０が設けられることにより、通話モードにおいて、ユーザに通話相手との音声通話を行わせることができる。
【００２２】
図２に示されるように、マイク６１およびスピーカ６２はそれぞれ、携帯端末１の下面に設けられている。なお、携帯端末１の下面とは、携帯端末１の短辺に沿った２つの端面のうち、あらかじめ規定された１つの面である。一例として、あらかじめ規定された基準の向き（基準姿勢）で、携帯端末１の長辺を地面に対して直交させた状態を考える。携帯端末１の下面は、上記２つの端面のうち、上記基準姿勢において、地面により近くに位置する方の端面であってよい。なお、携帯端末１の下面とは反対側の上記端面を、携帯端末１の上面とも称する。
【００２３】
マイク６１およびスピーカ６２が携帯端末１の下面に設けられていることにより、後述のカバー閉状態においても、マイク６１およびスピーカ６２はカバー１００によって覆われない。それゆえ、カバー閉状態においても、通話モードにおける音声通話をユーザに適切に行わせることができる。
【００２４】
なお、マイク６１およびスピーカ６２が設けられている位置は、図２の例に限定されない。マイク６１およびスピーカ６２は、カバー閉状態においてカバー１００によって覆われない位置に設けられていればよい。また、マイク６１およびスピーカ６２のそれぞれの個数も、１個に限定されず、２個以上（複数）であってもよい。
【００２５】
近接センサ８０は、物体の近接を検出するセンサである。一例として、近接センサ８０は、赤外線センサであってよい。近接センサ８０は、自身の検出結果を制御部１０に与える。制御部１０は、近接センサ８０の検出結果に応じて、通話モードにおける携帯端末１の動作を制御してよい。例えば、制御部１０は、近接センサ８０の検出結果に応じて、通話モードにおけるタッチパネル５０の動作を制御してよい。
【００２６】
一例として、通話モードにおいて、ユーザが携帯端末１を把持し、耳（ユーザの顔の部位の一部）に近付けた状態で発話を行っている場合を考える。この場合、近接センサ８０は、ユーザの耳を自身に近接している物体として検出する。
【００２７】
そこで、制御部１０は、通話モードにおいて近接センサ８０が物体の近接を検出した場合には、タッチパネル５０（表示部５２）のバックライトを消灯してもよい。ユーザが携帯端末１を耳に近付けている状態では、タッチパネル５０に画像を表示する（ユーザに画像による情報を提示する）必要性は低いためである。このように、近接センサ８０の検出結果に応じてタッチパネル５０のバックライトを消灯することで、通話モードにおいて携帯端末１の省電力を実現できる。
【００２８】
さらに、制御部１０は、通話モードにおいて近接センサ８０が物体の近接を検出した場合には、タッチパネル５０（入力部５１）における入力操作の受付（以下、入力受付）を無効化してもよい。ユーザが携帯端末１を耳に近付けている状態では、耳がタッチパネル５０に近接または接触することにより、ユーザが意図しない誤入力が発生する可能性があるためである。なお、タッチパネル５０に入力受付を無効化させる方法には、公知の任意の方法が用いられてよい。
【００２９】
このように、タッチパネル５０に入力受付を無効化させることで、通話モードにおけるユーザの誤入力を低減できる。また、タッチパネル５０に入力受付によって取得した信号を解析させる処理（例：ユーザによるタッチ入力が施された位置を検出するための処理）を行わせることが不要となる。このため、携帯端末１の消費電力を低減することもできる。以上のように、近接センサ８０の検出結果に応じて、通話モードにおけるタッチパネル５０の動作を制御することで、携帯端末１の省電力とユーザの誤入力の低減とを実現することができる。
【００３０】
但し、後述するように、通話モードにおいて、近接センサ８０の検出結果を有効に利用できない複数のケースが考えられる。以下に述べるように、本願の発明者ら（以下、発明者ら）は、そのようなケースにおいても、携帯端末１の省電力とユーザの誤入力の低減とを実現できるように、携帯端末１の構成を新たに想到した。以下、当該ケースの一例（ケース１）について述べる。なお、当該ケースの別の例（ケース２およびケース３）については、後述の実施形態２において述べる。
【００３１】
図２に示されるように、近接センサ８０は、携帯端末１の正面において、上側（タッチパネル５０の上辺に対して上側）に設けられている。このように、近接センサ８０は携帯端末１の正面に設けられているため、カバー閉状態において、近接センサ８０は当該カバー１００によって覆われる。
【００３２】
従って、カバー閉状態においては、近接センサ８０はカバー１００の近接を常に検出してしまう。それゆえ、カバー閉状態においては、近接センサ８０の検出結果を用いずに（例えば無視して）、携帯端末１の動作を制御することが必要となる。
【００３３】
このように、カバー閉状態においては、近接センサ８０の検出結果を、通話モードにおける携帯端末１の動作を制御するための信号として有効に利用できないという問題が生じる。そこで、発明者らは、当該問題に対処するために、携帯端末１の構成を想到した。
【００３４】
なお、近接センサ８０の種類は、赤外線センサに限定されず、任意のものが用いられてよい。近接センサ８０の個数も、１個に限定されず、２個以上（複数）であってもよい。また、近接センサ８０が設けられている位置も、図２の例に限定されない。但し、本発明の一態様に係る携帯端末では、近接センサ８０は、カバー閉状態においてカバー１００によって覆われる位置に設けられているものとする。
【００３５】
（カバー１００）
カバー１００は、携帯端末１に着脱可能に装着される保護部材（保護カバー）である。携帯端末１にカバー１００を装着することにより、例えば携帯端末１が床または地面に落下した場合において、携帯端末１の各部（特にタッチパネル５０）の破損を防止できる。以下に述べるように、カバー１００は、いわゆる「窓付きカバー」である。カバー１００の構成としては、公知の任意のものが用いられてよい。
【００３６】
以下、図３を参照し、カバー１００の一例について述べる。図３の（ａ）は、カバー１００を概略的に示す図である。図３の（ａ）のカバー１００は、「手帳型の窓付きカバー」の一例を示す。また、図３の（ｂ）は、以下に述べるカバー閉状態における携帯端末１を示す図である。
【００３７】
カバー１００は、カバー表面１００Ｕと、カバー背面１００Ｌと、カバー側面１００Ｓとを備えている。カバー表面１００Ｕは、携帯端末１の表面の一部分を覆う面である。カバー背面１００Ｌは、携帯端末１の背面の全体を覆う面である。カバー側面１００Ｓは、カバー表面１００Ｕとカバー背面１００Ｌとを連結する面である。
【００３８】
カバー背面１００Ｌには、所定の範囲内においてカバー表面１００Ｕを回転可能に動作させるためのヒンジ機構（不図示）が設けられている。また、カバー１００には、携帯端末１を受容するための受容部（不図示）が設けられている。
【００３９】
なお、携帯端末１およびカバー１００の受容部のそれぞれには、携帯端末１を受容部に安定して固定するためのアタッチメント機構（不図示）が設けられてよい。当該アタッチメント機構は、例えば磁石を利用した公知の着脱可能なアタッチメント機構が用いられてよい。
【００４０】
以降、「携帯端末１がカバー１００によって保護された状態」を、カバー閉状態と称する。カバー閉状態は、「携帯端末１がカバー１００の受容部のアタッチメント機構と係合しており、かつ、カバー表面１００Ｕが閉じられた状態（カバー表面１００Ｕが以下に述べる開口部１１０を除いた部分で携帯端末１の表面を覆っている状態）」とも表現できる。カバー閉状態は、携帯端末１の保護に好適な状態である。なお、以下に述べるように、携帯端末１（より具体的には、後述するカバー状態判定部１４）は、公知の方法によって、携帯端末１がカバー閉状態にあるか否かを判定できる。
【００４１】
他方、カバー閉状態とは異なる携帯端末１の状態を、総称的に「カバー開状態」と称する。カバー閉状態には、例えば、「携帯端末１がカバー１００の受容部のアタッチメント機構と係合していない状態」、および、「携帯端末１が当該アタッチメント機構と係合しているが、カバー表面１００Ｕが閉じられていない状態」が含まれる。
【００４２】
図３の（ａ）に示されるように、カバー表面１００Ｕには、カバー閉状態において、タッチパネル５０を部分的に露出させるように形成された開口部１１０が設けられている。図３の（ｂ）に示されるように、開口部１１０によって表面に露出しているタッチパネル５０の部分を、小窓５０ａ（窓部）とも称する。カバー１００（窓付きカバー）によれば、カバー閉状態においても、タッチパネル５０の一部分である小窓５０ａを、入力部５１および表示部５２としてユーザに提供できる。このため、カバー閉状態における、ユーザの操作の利便性を向上させることができる。
【００４３】
なお、図３では、矩形状の開口部１１０が例示されているが、当該開口部１１０の形状は矩形状のみに限定されない。開口部１１０の形状は、例えば、矩形に切り欠き部がさらに設けられた形状であってもよい。また、開口部１１０の一部分が、カバー表面１００Ｕの端面によって規定されていてもよい。このように、開口部１１０の形状は任意であってよい。
【００４４】
（制御部１０）
続いて、制御部１０の動作について詳細に述べる。図１に示されるように、制御部１０は、通話処理部１１、タッチパネル制御部１２、音声レベル判定部１３、およびカバー状態判定部１４を備えている。
【００４５】
通話処理部１１は、公知の方法による通話処理を行う。一例として、通話処理部１１が、通信部７０を介して相手側端末から通話要求を取得した（つまり、相手側端末からの電話着信を受けた）場合を考える。通話処理部１１は、ユーザが電話着信を受け付ける操作（応答）を行ったことを契機として、携帯端末１に通話モードでの動作を開始させる。また、通話処理部１１は、通話を終了させる処理（終話処理）を行うこともできる。通話処理部１１は、通話処理を完了させたことを契機として、携帯端末１が通話モードにある場合には、当該携帯端末１に通話モードでの動作を終了させる。
【００４６】
続いて、タッチパネル制御部１２および音声レベル判定部１３の説明に先立ち、カバー状態判定部１４について述べる。カバー状態判定部１４は、公知の方法によって、携帯端末１がカバー閉状態にあるか否かを判定する。また、カバー状態判定部１４は、自身の判定結果を示す情報として、カバー状態判定値Ｎを取得する。カバー状態判定部１４は、タッチパネル制御部１２にカバー状態判定値Ｎを出力してよい。
【００４７】
一例として、上述の受容部のアタッチメント機構に、光センサおよび磁気センサが設けられている場合を考える。この場合、カバー状態判定部１４は、光センサの検知結果および磁気センサの検知結果に基づいて、携帯端末１がカバー閉状態にあるか否かを判定してよい。
【００４８】
例えば、カバー状態判定部１４は、光センサの検知結果（例：光量）が所定の閾値（光量閾値）よりも小さく、かつ、磁気センサの検知結果（例：磁束密度）が所定の閾値（磁束密度閾値）以上である場合に、携帯端末１がカバー閉状態にあると判定してよい。実施形態１では、カバー状態判定部１４は、携帯端末１がカバー閉状態にあると判定した場合には、Ｎ＝１としてカバー状態判定値Ｎを算出（取得）する。
【００４９】
他方、カバー状態判定部１４は、携帯端末１がカバー閉状態にあると判定しなかった（上述の判定条件が満たされなかった）場合には、携帯端末１がカバー開状態にあると判定する。カバー状態判定部１４は、携帯端末１がカバー開状態にあると判定した場合には、Ｎ＝０としてカバー状態判定値Ｎを取得する。
【００５０】
続いて、タッチパネル制御部１２について述べる。タッチパネル制御部１２は、タッチパネル５０の動作を統括的に制御する。具体的には、タッチパネル制御部１２は、表示部５２を制御する表示制御部としての機能と、入力部５１を制御する入力制御部としての機能を併有している。
【００５１】
以下に述べるように、タッチパネル制御部１２は、上述のカバー状態判定部１４の判定結果（カバー状態判定値Ｎ）に基づいて、タッチパネル５０の動作を制御してよい。一例として、タッチパネル制御部１２は、カバー状態判定値Ｎに基づいて、タッチパネル５０（表示部５２）における画像の表示態様を変化させてよい。
【００５２】
例えば、携帯端末１がカバー閉状態にある（カバー状態判定値Ｎが１である）場合を考える。この場合、タッチパネル制御部１２は、以下の述べる図４に示されるように、小窓５０ａのみに画像を表示させ、タッチパネル５０の小窓５０ａ以外の部分（残余部）には、画像表示を行わせなくともよい（つまり、バックライトを消灯させてもよい）。
【００５３】
携帯端末１がカバー閉状態にある場合には、タッチパネル５０の残余部は、カバー１００に覆われている。このため、当該残余部は、ユーザによって視認されないため、画像を表示する必要性が低い。それゆえ、小窓５０ａのみに画像を表示させることで、カバー閉状態にある携帯端末１の消費電力を低減できる。また、残余部に画像（例：以下に述べる着信画面および通話中画面）を表示させないことにより、当該画像に示された情報の全体をユーザに適切に提示できる。
【００５４】
一例として、カバー閉状態にある携帯端末１が、相手側端末からの電話着信を受けた場合を考える。この場合、タッチパネル制御部１２は、通話処理部１１からの上記指令を受けて、携帯端末１が相手側端末からの電話着信を受けた旨を示す画面（着信画面）を、小窓５０ａに表示させてよい。
【００５５】
図４の（ａ）は、小窓５０ａに表示される着信画面の一例を示す図である。タッチパネル制御部１２は、着信画面において、（ｉ）相手側端末の電話番号を小窓５０ａに表示させるとともに、（ｉｉ）画像ＩＭＧ１・ＩＭＧ２を小窓５０ａに表示させてよい。画像ＩＭＧ１・ＩＭＧ２はそれぞれ、例えばタッチ入力によって所定の入力操作をユーザに行わせるためのボタンである。具体的には、画像ＩＭＧ１は、電話着信への応答を行わせるためのボタンである。また、画像ＩＭＧ２は、電話着信を拒否する操作を行わせるためのボタンである。
【００５６】
また、タッチパネル制御部１２は、携帯端末１が通話モードで動作している旨（通話中である旨）を示す画面（通話中画面）を、タッチパネル５０に表示させてよい。一例として、カバー閉状態にある携帯端末１では、小窓５０ａに通話中画面を表示させてよい。
【００５７】
図４の（ｂ）は、小窓５０ａに表示される通話中画面の一例を示す図である。タッチパネル制御部１２は、通話中画面において、（ｉ）上述の着信画面と同様に、相手側端末の電話番号を小窓５０ａに表示させるとともに、（ｉｉ）画像ＩＭＧ３を小窓５０ａに表示させてよい。画像ＩＭＧ３は、終話処理を行わせるためのボタンである。
【００５８】
続いて、携帯端末１がカバー開状態にある（カバー状態判定値Ｎが０である）場合を考える。この場合、タッチパネル制御部１２は、タッチパネル５０の全体（全面）に画像を表示させてもよい。携帯端末１がカバー開状態にある場合には、タッチパネル５０の残余部は、カバー１００に覆われておらず、ユーザによってタッチパネル５０の全体が視認されると期待されるためである。
【００５９】
なお、タッチパネル制御部１２は、カバー状態判定値Ｎに基づいて、タッチパネル５０（入力部５１）に対する入力受付の態様を変化させてもよい。例えば、カバー状態判定値Ｎが１である場合、タッチパネル制御部１２は、タッチパネル５０の残余部には、入力受付を無効化させてもよい。
【００６０】
カバー閉状態において、タッチパネル５０の残余部が、カバー１００の接触または近接を検知した場合には、ユーザの意図しない誤入力が発生する。そこで、タッチパネル５０の残余部に入力受付を無効化させることにより、誤入力を防止できる。また、携帯端末１の消費電力を低減することもできる。
【００６１】
さらに、タッチパネル制御部１２は、以下に述べる音声レベル判定部１３の判定結果（以下に述べる音声レベル判定値Ｍ）に基づいて、タッチパネル５０の動作を制御してもよい。音声レベル判定値Ｍ（指標値）に基づくタッチパネル５０の動作制御の例については、後述する。
【００６２】
（音声レベル判定部１３）
音声レベル判定部１３は、マイク６１が取得した音声信号（以下、音声信号Ｓ）の波形（音波）を分析し、当該音声信号Ｓの大きさ（絶対値）（以下、音声レベルＳＬ）を評価（判定）する。音声レベルＳＬは、マイク６１に入力された音声の大きさと表現されてもよい。
【００６３】
具体的には、音声レベル判定部１３は、より具体的には、音声レベルＳＬと所定の閾値との大小関係を比較することにより、当該音声レベルＳＬがどの程度大きいか（音声レベルＳＬの大きさの程度）を評価する。
【００６４】
一例として、音声レベル判定部１３には、音声レベルＳＬに対する２つの閾値として、第１閾値ＴＨ１および第２閾値ＴＨ２があらかじめ設定されてよい。図５の（ａ）は、音声信号Ｓの波形の一例を示すグラフである。図５の（ａ）のグラフにおいて、横軸は時刻（以下、時刻ｔ）であり、縦軸は音声信号Ｓの値（波高値）である。
【００６５】
図５の（ａ）に示されるように、第１閾値ＴＨ１および第２閾値ＴＨ２は、「ＴＨ１＞ＴＨ２＞０」の関係を満たすように設定されている。つまり、第１閾値ＴＨ１はより大きい方の閾値であり、第２閾値ＴＨ２はより小さい方の閾値である。第１閾値ＴＨ１および第２閾値ＴＨ２の数値は、携帯端末１の製造者によって適宜設定されてよい。
【００６６】
図５の（ａ）に示されるように、音声レベル判定部１３は、所定の判定タイミング（例えば、一定または略一定周期のタイミング）で、音声レベルＳＬを評価する。当該判定タイミングは、携帯端末１の製造者によってあらかじめ設定されてよい。図５の（ａ）の場合には、音声レベル判定部１３は、時刻ｔ１１、時刻ｔ１２、時刻ｔ１３、および時刻ｔ１４の順に、各時刻において音声レベルＳＬを評価する。
【００６７】
以下、説明の便宜上、時刻ｔ１１から時刻ｔ１２までの時間を時間ａ１、時刻ｔ１２から時刻ｔ１４までの時間を時間ａ２、時刻ｔ１４以降の時間を時間ａ３と、それぞれ称する。図５の（ａ）の音声信号Ｓの波形について、音声レベル判定部１３の判定の例を説明すると、以下の（Ａ１）〜（Ａ３）の通りである。
【００６８】
（Ａ１）：時刻ｔ１１において、音声レベル判定部１３は、ＳＬ≧ＴＨ１であると判定する（参照：図５の（ａ）の点Ｐ１１）。以下、ＳＬ≧ＴＨ１である状態を、音声レベル大状態と称する。音声レベル大状態が検出された場合、ユーザが携帯端末１を把持して耳に近付けたまま、通話相手との会話を行っている状態であることが予想される。音声レベル大状態は、タッチパネル５０に画像を表示する（ユーザに画像による情報を提示する）必要性が特に低い（最も低い）状態であると理解されてよい。
【００６９】
音声レベル判定部１３は、自身の判定結果（評価結果）を示す情報として、音声レベル判定値Ｍを算出（取得）する。音声レベル判定部１３は、タッチパネル制御部１２に音声レベル判定値Ｍを出力してよい。音声レベル判定値Ｍは、音声レベルＳＬの大きさの程度を示す指標値として用いられてよい。
【００７０】
例えば、音声レベル判定値Ｍは、音声レベルＳＬの大きさの程度が、あらかじめ設定された複数のレベルのうちの、どのレベルにあるかを示す指標値として用いられる。実施形態１では、音声レベルＳＬの大きさの程度を、３つのレベルによって区分する場合を考える。
【００７１】
音声レベル判定部１３は、音声レベル大状態を判定（検出）した場合には、Ｍ＝２（Ｍの最大値）として音声レベル判定値Ｍを取得する。Ｍ＝２という音声レベル判定値は、音声レベルＳＬの大きさの程度が、３つのレベルのうち最高のレベルにあることを示す。
【００７２】
（Ａ２）：続いて、時刻ｔ１２および時刻ｔ１３のそれぞれにおいて、音声レベル判定部１３は、ＴＨ２≦ＳＬ＜ＴＨ１であると判定する（参照：図５の（ａ）の点Ｐ１２および点Ｐ１３）。以下、ＴＨ１≦ＳＬ＜ＴＨ２である状態を、音声レベル中状態と称する。音声レベル判定部１３は、音声レベル中状態を検出した場合には、Ｍ＝１（Ｍの中間値）として音声レベル判定値Ｍを取得する。Ｍ＝１という音声レベル判定値は、音声レベルＳＬの大きさの程度が、３つのレベルのうち中間（中央）のレベルにあることを示す。
【００７３】
音声レベル中状態が検出された場合、通話相手との会話中であるユーザが、タッチパネル５０に表示された画面の確認を行うために、携帯端末１を一時的に耳から離した状態であることが予想される。音声レベル中状態は、タッチパネル５０に画像を表示する必要性がある（２番目に高い）状態であると理解されてよい。
【００７４】
（Ａ３）：その後、時刻ｔ１３において、音声レベル判定部１３は、ＳＬ＜ＴＨ２であると判定する（参照：図５の（ａ）の点Ｐ１４）。以下、ＳＬ＜ＴＨ２である状態を、音声レベル小状態と称する。音声レベル判定部１３は、音声レベル小状態を検出した場合には、Ｍ＝０（Ｍの最小値）として音声レベル判定値Ｍを取得する。Ｍ＝０という音声レベル判定値は、音声レベルＳＬの大きさの程度が、３つのレベルのうち最低のレベルにあることを示す。
【００７５】
音声レベル小状態が検出された場合、携帯端末１を把持しているユーザが、通話相手との会話をすでに終了し、終話処理を行うことを意図していることが予想される。音声レベル低状態は、タッチパネル５０に画像を表示する必要性が特に高い（最も高い）状態であると理解されてよい。
【００７６】
以上のように、音声レベル大状態、音声レベル中状態、および音声レベル小状態は、音声レベルＳＬの大きさの程度を示すレベルを基準として規定される状態である。つまり、これらの各状態は、第１閾値ＴＨ１および第２閾値ＴＨ２を基準として規定された状態である。このことから、第１閾値ＴＨ１および第２閾値ＴＨ２は、携帯端末１の使用態様に応じて、マイク６１によって取得されると予想される音声レベルＳＬの代表値を基準として、携帯端末１の製造者によってあらかじめ設定されてよい。
【００７７】
例えば、第１閾値ＴＨ１は、ユーザが携帯端末１を把持し、耳に近付けた状態で発話を行っている場合において、マイク６１によって取得されると予想される音声レベルＳＬの代表値を基準として設定されてよい。
【００７８】
また、第２閾値ＴＨ２は、ユーザが音声通話のための発話を行っていない場合において、マイク６１によって取得されると予想される音声レベルＳＬの代表値（周囲の騒音の代表値）を基準として設定されてよい。
【００７９】
（音声レベル判定値Ｍに基づくタッチパネル５０の明るさ制御）
続いて、タッチパネル制御部１２における、音声レベル判定値Ｍに基づくタッチパネル５０の動作制御の例について述べる。以下、タッチパネル５０（表示部）の明るさ（以下、明るさＢ）の調整方法について、２通りの例を説明する。なお、以下の説明における「タッチパネル５０」は、携帯端末１がカバー閉状態にある場合には、「小窓５０ａ」を意味するものと読み替えられてよい。
【００８０】
（第１の例）
図５の（ｂ）は、上述の図５の（ａ）の音声信号Ｓの波形に応じた明るさＢの調整方法を説明するためのグラフである。図５の（ｂ）のグラフにおいて、横軸は時刻ｔであり、縦軸は明るさＢである。なお、明るさＢは、タッチパネル５０の輝度または照度に読み替えられてもよい。図５の（ｂ）に示されるように、タッチパネル制御部１２では、３通りの音声レベル判定値Ｍに応じて、３通りの明るさの設定値が設定されている。
【００８１】
図５の（ｂ）に示される明るさＢ１は、３通りの明るさの設定値のうち、最大の設定値である。以降、各設定値の区別のため、明るさＢ１を第１設定値Ｂ１とも称する。一例として、第１設定値Ｂ１は、タッチパネル５０（より具体的には、タッチパネル５０のバックライト）を通常に点灯させた場合の明るさに相当する。以降、タッチパネル５０を明るさＢ１で点灯させた状態を、点灯状態と称する。
【００８２】
また、明るさＢ２は、３通りの明るさの設定値のうち、中間的な設定値である。以降、明るさＢ２を第２設定値Ｂ２とも称する。第１設定値Ｂ１は、タッチパネル５０を通常よりもやや薄暗く点灯させた場合の明るさに相当する。以降、タッチパネル５０を明るさＢ２で点灯させた状態を、微点灯状態と称する。
【００８３】
また、実施形態１では、明るさ「０」は、３通りの明るさの設定値のうち、最小の設定値である。当該最小の設定値を第３設定値Ｂ３とも称する。実施形態１では、Ｂ３＝０である。明るさＢを０に設定することは、タッチパネル５０を消灯させることを意味する。以下、Ｂ＝０に設定されたタッチパネル５０の状態を、消灯状態と称する。
【００８４】
なお、第３設定値Ｂ３は、必ずしも０に設定されなくともよい。第１設定値Ｂ１、第２設定値Ｂ２、および第３設定値Ｂ３は、「Ｂ１＞Ｂ２＞Ｂ３」の関係を満たす限り、任意に設定されてよい。但し、携帯端末１の省電力の観点からは、Ｂ３＝０であることが好ましい。以下、図５の（ａ）の音声信号Ｓの波形に応じた、タッチパネル制御部１２による明るさＢの調整の例を説明すると、以下の（Ａ４）〜（Ａ６）の通りである。
【００８５】
（Ａ４）：タッチパネル制御部１２は、Ｍ＝２である場合（つまり、音声レベル大状態である場合）には、明るさＢとして第３設定値Ｂ３＝０（最小の明るさ）を選択する。例えば、図５の（ｂ）に示されるように、タッチパネル制御部１２は、上述の時間ａ１において、Ｂ＝０として明るさＢを設定する。
【００８６】
なお、図５の（ｂ）の場合には、時刻ｔ１１よりも前の時間において、すでに明るさＢが０に設定されている。この場合、タッチパネル制御部１２は、時刻ｔ１１から時刻ｔ１２まで、Ｂの値（０）をそのまま維持する。このように、タッチパネル制御部１２は、時間ａ１において、タッチパネル５０を消灯状態とする。
【００８７】
上述のように、音声レベル大状態である場合には、タッチパネル５０に画像を表示する必要性が最も低い。そこで、時間ａ１において、タッチパネル５０を消灯状態とすることで、携帯端末１の省電力を実現できる。
【００８８】
このように、音声レベル判定部１３において音声レベルＳＬが所定の閾値（本実施形態では第１閾値ＴＨ１）以上であることが判定された場合には、タッチパネル制御部１２は、タッチパネル５０を消灯状態とすることが好ましい。つまり、タッチパネル制御部１２は、ユーザに画像による情報を提示する必要性が低い場合に、タッチパネル５０を消灯状態とすることが好ましい。
【００８９】
（Ａ５）：タッチパネル制御部１２は、Ｍ＝１である場合（つまり、音声レベル中状態である場合）には、明るさＢとして第２設定値Ｂ２（中間の明るさ）を選択する。例えば、音声レベル判定部１３は、上述の時間ａ２において、Ｂ＝Ｂ２として明るさＢを設定する。具体的には、タッチパネル制御部１２は、時刻ｔ１２において、明るさＢを０からＢ２へと増加させ、増加させたＢの値（Ｂ２）を時刻ｔ１４まで維持する。このように、タッチパネル制御部１２は、時間ａ２において、タッチパネル５０を微点灯状態とする。
【００９０】
上述のように、音声レベル中状態である場合には、タッチパネル５０に画像を表示する必要性がある程度高い。そこで、時間ａ２において、タッチパネル５０を微点灯状態とすることで、画像によってユーザに情報を提示しつつ、携帯端末１の省電力を実現できる。
【００９１】
（Ａ６）：タッチパネル制御部１２は、Ｍ＝０である場合（つまり、音声レベル小状態である場合）には、明るさＢとして第１設定値Ｂ１＝０（最大の明るさ）を選択する。例えば、音声レベル判定部１３は、上述の時間ａ３において、Ｂ＝Ｂ１として明るさＢを設定する。具体的には、タッチパネル制御部１２は、時刻ｔ１４において、明るさＢをＢ２からＢ１へと増加させ、増加させたＢの値（Ｂ１）をそのまま維持する。このように、タッチパネル制御部１２は、時間ａ３において、タッチパネル５０を点灯状態とする。
【００９２】
上述のように、音声レベル小状態である場合、タッチパネル５０に画像を表示する必要性が最も高い。そこで、時間ａ３において、タッチパネル５０を点灯状態とすることで、画像によってユーザに情報を提示し、ユーザに確実に入力操作を行わせることができる。
【００９３】
以上のように、タッチパネル制御部１２は、音声レベルＳＬが大きくなるにつれて（より具体的には、音声レベル判定値Ｍの増加に伴って）、明るさＢをより小さく（暗く）設定する。当該構成によれば、通話モードにおけるユーザの発話態様に応じて、通話モードにおけるタッチパネル５０の動作を好適に制御できる。
【００９４】
（第２の例）
図６の（ａ）は、音声信号Ｓの波形の別の例を示すグラフである。また、図６の（ｂ）は、図６の（ａ）の音声信号Ｓの波形に応じた、明るさＢの調整方法を説明するためのグラフである。図６の例（第２の例）においても、図５の例（第１の例）と同様に、タッチパネル制御部１２は、音声レベル判定値Ｍの増加に伴って、明るさＢをより小さく設定する。
【００９５】
図６の（ａ）の場合には、音声レベル判定部１３は、時刻ｔ２１、時刻ｔ２２、時刻ｔ２３、時刻ｔ２４、時刻ｔ２５、および時刻ｔ２６の順に、各時刻において音声レベルＳＬを評価する。以下、説明の便宜上、時刻ｔ２１から時刻ｔ２４までの時間を時間ｂ１、時刻ｔ２４から時刻ｔ２６までの時間を時間ｂ２、時刻ｔ２６以降の時間を時間ｂ３と、それぞれ称する。以下、図６の（ａ）の音声信号Ｓの波形について、音声レベル判定部１３の判定の例を説明すると、以下の（Ｂ１）〜（Ｂ３）の通りである。
【００９６】
（Ｂ１）：時刻ｔ２１、時刻ｔ２２、および時刻ｔ２３のそれぞれにおいて、音声レベル判定部１３は、ＴＨ２≦ＳＬ＜ＴＨ１であると判定する（参照：図６の（ａ）の点Ｐ２１、点Ｐ２２、および点Ｐ２３）。つまり、音声レベル判定部１３は、音声レベル中状態を検出し、Ｍ＝１を出力する。
【００９７】
（Ｂ２）：続いて、時刻ｔ２４および時刻ｔ２５のそれぞれにおいて、音声レベル判定部１３は、ＳＬ≧ＴＨ１であると判定する（参照：図６の（ａ）の点Ｐ２４および点Ｐ２５）。つまり、音声レベル判定部１３は、音声レベル大状態を検出し、Ｍ＝２を出力する。
【００９８】
（Ｂ３）：その後、時刻ｔ２６において、音声レベル判定部１３は、ＳＬ＜ＴＨ２であると判定する（参照：図６の（ａ）の点Ｐ２６）。つまり、音声レベル判定部１３は、音声レベル小状態を検出し、Ｍ＝０を出力する。
【００９９】
続いて、図６の（ａ）の音声信号Ｓの波形に応じた、タッチパネル制御部１２による明るさＢの調整の例を説明すると、以下の（Ｂ４）〜（Ｂ６）の通りである。
【０１００】
（Ｂ４）：タッチパネル制御部１２は、時間ｂ１において、Ｍ＝１に応じた明るさＢ＝Ｂ２を設定する。なお、図６の（ｂ）の場合には、時刻ｔ２１よりも前の時間において、すでに明るさＢがＢ２に設定されている。この場合、タッチパネル制御部１２は、時刻ｔ２１から時刻ｔ２４まで、Ｂの値（Ｂ１）をそのまま維持する。このように、タッチパネル制御部１２は、時間ｂ１において、タッチパネル５０を微点灯状態とする。
【０１０１】
（Ｂ５）：タッチパネル制御部１２は、時間ｂ２において、Ｍ＝２に応じた明るさＢ＝０を設定する。具体的には、タッチパネル制御部１２は、時刻ｔ２４において、明るさＢをＢ２から０へと減少させ、減少させたＢの値（０）を時刻ｔ２６まで維持する。このように、タッチパネル制御部１２は、時間ｂ２において、タッチパネル５０を消灯状態とする。
【０１０２】
（Ｂ６）：タッチパネル制御部１２は、時間ｂ２において、Ｍ＝０に応じた明るさＢ＝１を設定する。具体的には、タッチパネル制御部１２は、時刻ｔ２４において、明るさＢを０からＢ１へと増加させ、増加させたＢの値（Ｂ１）をそのまま維持する。このように、タッチパネル制御部１２は、時間ｂ３において、タッチパネル５０を点灯状態とする。
【０１０３】
以上のように、携帯端末１では、タッチパネル制御部１２は、音声レベルＳＬの大きさの程度に応じて、明るさＢの設定（タッチパネル５０の点灯制御）を行うことができる。このように、通話モードにおけるユーザの発話態様に応じて明るさＢを設定することにより、携帯端末１の省電力を実現できる。
【０１０４】
（音声レベル判定値Ｍに基づくタッチパネル５０の入力受付の態様の制御）
さらに、タッチパネル制御部１２は、音声レベル判定値Ｍに基づいて、タッチパネル５０（入力部５１）の入力受付の態様を変化させてもよい。
【０１０５】
例えば、タッチパネル制御部１２は、Ｍ＝２である場合には、タッチパネル５０に入力受付を無効化させてもよい。上述のように、音声レベル大状態である場合、ユーザは携帯端末１を耳に近付けていると考えられる。このため、耳がタッチパネル５０に近接または接触することに起因する誤入力を抑制することが好ましい。また、タッチパネル５０に入力受付を無効化させることにより、携帯端末１の省電力にも好適である。
【０１０６】
なお、上述の通り、音声レベル大状態である場合、タッチパネル５０は消灯状態となる。このため、音声レベル大状態において、仮にユーザがタッチパネル５０を視認したとしても、入力操作のための画像（例：画像ＩＭＧ３）はタッチパネル５０に表示されない。このように、タッチパネル５０を消灯状態にすることによって、タッチパネル５０への入力受付が無効化されている（許可されていない）旨を、ユーザに視覚的に報知することもできる。この点からも、ユーザの誤入力を効果的に抑制できる。
【０１０７】
このように、音声レベル判定部１３において音声レベルＳＬが所定の閾値（本実施形態では第１閾値ＴＨ１）以上であることが判定された場合には、タッチパネル制御部１２は、タッチパネル５０に入力受付を無効化させることが好ましい。つまり、タッチパネル制御部１２は、ユーザの意図しない誤入力が生じる可能性が高いと考えられる場合に、タッチパネル５０に入力受付を無効化させることが好ましい。
【０１０８】
なお、タッチパネル５０に入力受付を無効化させない場合にも、タッチパネル５０を消灯状態にすることによって、誤入力を抑制できる。タッチパネル５０を消灯状態にした場合には、タッチパネル５０を点灯状態または微点灯状態にした場合に比べて、ユーザにタッチパネル５０（表示部５２）への視覚的な注意を惹きつけないためである。その結果、ユーザが消灯状態のタッチパネル５０（入力部５１）への入力操作を行う可能性を低減できる。
【０１０９】
他方、タッチパネル制御部１２は、Ｍ＝０またはＭ＝１である場合には、タッチパネル５０に入力受付を許可してもよい。音声レベル小状態または音声レベル中状態である場合、音声レベル大状態である場合に比べて、ユーザはタッチパネル５０に対する入力操作を意図する可能性が高いと考えられるためである。
【０１１０】
また、上述の通り、音声レベル小状態または音声レベル中状態である場合、入力操作のための画像（例：画像ＩＭＧ３）をタッチパネル５０に表示させることができる。このように、タッチパネル５０を点灯状態または微点灯状態にすることによって、タッチパネル５０への入力受付が許可されている旨を、ユーザに視覚的に報知することもできる。この点からも、誤入力を効果的に抑制できる。
【０１１１】
（携帯端末１におけるタッチパネル５０の制御の処理の流れ）
図７は、携帯端末１におけるタッチパネル５０の制御の処理Ｓ１〜Ｓ１８の流れを例示するフローチャートである。
【０１１２】
はじめに、カバー状態判定部１４は、カバー状態判定値Ｎを初期化する。例えば、カバー状態判定部１４は、カバー状態判定値Ｎの初期値として、Ｎ＝０を設定してよい。また、音声レベル判定部１３は、音声レベル判定値Ｍを初期化する。例えば、音声レベル判定部１３は、音声レベル判定値Ｍの初期値として、Ｍ＝０を設定してよい（Ｓ１）。
【０１１３】
通話処理部１１が相手側端末からの電話着信を受けると（Ｓ２）、カバー状態判定部１４は、携帯端末１がカバー閉状態にあるか否かを判定し、カバー状態判定値Ｎを取得する（Ｓ３）。タッチパネル制御部１２は、カバー状態判定値Ｎに応じて、着信画面の表示を制御する（Ｓ４）。
【０１１４】
カバー状態判定値Ｎが０である場合（つまり、携帯端末１がカバー開状態にある場合）（Ｓ４でＹＥＳ）、タッチパネル制御部１２は、タッチパネル５０の全体に着信画面を表示させる（Ｓ５）。
【０１１５】
他方、カバー状態判定値Ｎが１である場合（つまり、携帯端末１がカバー閉状態にある場合）（Ｓ４でＮＯ）、タッチパネル制御部１２は、小窓５０ａに着信画面を表示させる（Ｓ６）。
【０１１６】
続いて、通話処理部１１は、ユーザが電話着信に応答したか否かを判定する（Ｓ７）。ユーザが電話着信に応答しなかった場合（Ｓ７でＮＯ）、通話処理部１１は終話処理を実行する（Ｓ１８）。
【０１１７】
他方、ユーザが電話着信に応答した場合（Ｓ７でＹＥＳ）、通話処理部１１は、携帯端末１に通話モードでの動作を開始させる。通話モードにおいて、タッチパネル制御部１２は、カバー状態判定値Ｎに応じて、通話中画面の表示を制御する（Ｓ８）。
【０１１８】
カバー状態判定値Ｎが０である場合（Ｓ８でＹＥＳ）、タッチパネル制御部１２は、タッチパネル５０の全体に通話中画面を表示させる（Ｓ９）。上述のように、携帯端末１がカバー開状態にある場合には、制御部１０は、近接センサ８０の検出結果に応じて、通話中画面の表示を制御してよい。
【０１１９】
他方、カバー状態判定値Ｎが１である場合（Ｓ８でＮＯ）、タッチパネル制御部１２は、小窓５０ａに着信画面を表示させる（Ｓ１０）。続いて、音声レベル判定部１３は、上述のように音声レベルＳＬを評価し、音声レベル判定値Ｍを取得する（Ｓ１１，音声レベル判定工程）。
【０１２０】
そして、タッチパネル制御部１２は、以下に述べる処理Ｓ１２〜Ｓ１６（通話制御工程）において、音声レベル判定値Ｍに応じて、小窓５０ａ（タッチパネル５０）の動作を制御する。
【０１２１】
まず、タッチパネル制御部１２は、音声レベル判定値Ｍが０であるかそれ以外の値であるかを判定する（Ｓ１２）。音声レベル判定値Ｍが０である場合（Ｓ１２でＹＥＳ）、タッチパネル制御部１２は、明るさＢを、Ｂ＝Ｂ１に設定する。つまり、タッチパネル制御部１２は、小窓５０ａを点灯状態とする（Ｓ１３）。他方、音声レベル判定値Ｍが０でない場合（Ｓ１２でＮＯ）、Ｓ１４に進む。
【０１２２】
続いて、タッチパネル制御部１２は、音声レベル判定値Ｍが１であるか２であるかを判定する（Ｓ１４）。音声レベル判定値Ｍが１である場合（Ｓ１４でＹＥＳ）、タッチパネル制御部１２は、明るさＢを、Ｂ＝Ｂ２に設定する。つまり、タッチパネル制御部１２は、小窓５０ａを微点灯状態とする（Ｓ１５）。上述のように、Ｓ１３およびＳ１５において、タッチパネル制御部１２は、小窓５０ａに入力受付を許可してよい。
【０１２３】
他方、音声レベル判定値Ｍが２である場合（Ｓ１４でＮＯ）、タッチパネル制御部１２は、明るさＢを、Ｂ＝０に設定する。つまり、タッチパネル制御部１２は、小窓５０ａを消灯状態とする（Ｓ１６）。そして、上述のＳ１１に戻る。なお、上述のように、Ｓ１６において、タッチパネル制御部１２は、小窓５０ａに入力受付を無効化させてよい。
【０１２４】
続いて、通話処理部１１は、ユーザが終話のための操作（終話操作）を行ったか否かを判定する（Ｓ７）。ユーザが終話操作を行った場合（Ｓ１７でＹＥＳ）、Ｓ１８に進む。他方、ユーザが終話操作を行わなかった場合（Ｓ１７でＮＯ）、上述のＳ１１に戻る。
【０１２５】
（携帯端末１の効果）
携帯端末１によれば、音声レベル判定部１３の判定結果（音声レベル判定値Ｍ）に応じて、通話モード（ユーザの音声通話時）におけるタッチパネル５０の動作を制御できる。特に、カバー閉状態にある携帯端末１において（カバー状態判定値Ｎが１である場合に）、音声レベル判定値Ｍに応じて、通話モードにおける小窓５０ａの動作を制御できる。
【０１２６】
それゆえ、携帯端末１がカバー閉状態にある場合（近接センサ８０の検出結果を有効に利用できない場合）においても、通話モードにおける省電力とユーザの誤入力の低減とを実現することが可能となる。
【０１２７】
〔変形例〕
以下、実施形態１の変形例について、以下の（１）〜（２）の通り説明する。
【０１２８】
（１）：実施形態１では、入力部５１と表示部５２とが一体化された構成（タッチパネル５０）を例示した。但し、本発明の一態様に係る携帯端末において、入力部５１と表示部５２とは必ずしも一体として設けられている必要はない。例えば、入力部５１としてハードキーを用いることにより、入力部５１と表示部５２とを別体の部材としてもよい。
【０１２９】
なお、入力部５１と表示部５２とを別体の部材として設けた場合、カバー１００の開口部１１０は、カバー閉状態において、入力部５１および表示部５２の両方を完全に露出させないように形成されていればよい。例えば、開口部１１０は、カバー閉状態において、入力部５１および表示部５２の少なくともいずれかを部分的に露出させるように形成されていればよい。
【０１３０】
（２）：実施形態１では、タッチパネル制御部１２（通話制御部）が、通話モード（ユーザの音声通話時）において、入力部５１と表示部５２の両方（つまり、タッチパネル５０の入力受付機能および表示機能の両方）を制御する構成を例示した。
【０１３１】
但し、本発明の一態様に係る通話制御部は、通話モードにおいて、入力部５１および表示部５２の両方を必ずしも制御する必要はない。当該通話制御部は、通話モードにおいて、入力部５１および表示部５２の少なくともいずれを制御すればよい。
【０１３２】
通話制御部によって、通話モードにおいて、入力部５１および表示部５２の一方のみが制御された場合においても、上述のように、通話モードにおける省電力とユーザの誤入力の低減とを実現できるためである。但し、ユーザの誤入力をより十分に低減する観点からは、通話制御部は、通話モードにおいて、入力部５１および表示部５２の両方を制御することがより好ましい。
【０１３３】
〔実施形態２〕
本発明の実施形態２について、図８〜図９に基づいて説明すれば、以下の通りである。なお、説明の便宜上、上記実施形態にて説明した部材と同じ機能を有する部材については、同じ符号を付記し、その説明を省略する。
【０１３４】
（携帯端末２）
図８は、実施形態２の携帯端末２の要部の構成を示す機能ブロック図である。実施形態２では、カバー１００が携帯端末２に装着されずに、当該携帯端末２が使用されている状態（携帯端末２が常にカバー開状態で使用されている状態）を考える。図８に示されるように、携帯端末２は、実施形態１の携帯端末１からカバー状態判定部１４を取り除いた構成である。なお、携帯端末１の制御部１０との区別のため、携帯端末２の制御部を制御部２０（制御装置）と称する。
【０１３５】
上述の実施形態１において述べたように、カバー開状態においては、近接センサ８０はカバー１００に覆われない。このため、携帯端末１では、カバー開状態において。当該近接センサ８０の検出結果を用いて、タッチパネル５０の動作を制御することが可能であった。
【０１３６】
但し、近接センサ８０は、携帯端末１が備える各部のうち、少なからず消費電力（消費電流）を要する部材である。このため、消費電力の低減の観点からは、カバー開状態においても、近接センサ８０を使用しないことが考えられる。このような場合にも、近接センサ８０の検出結果を使用することはできない（ケース２）。
【０１３７】
あるいは、携帯端末１のコストを低減する場合、当該携帯端末１に近接センサ８０を設けないことも考えられる。この場合にも、近接センサ８０の検出結果を使用することはできない（ケース３）。
【０１３８】
そこで、発明者らは、ケース２およびケース３に対処することを目的として、携帯端末２の構成を想到した。以下、携帯端末２の動作の一例について述べる。
【０１３９】
（携帯端末２におけるタッチパネル５０の制御の処理の流れ）
図９は、携帯端末２におけるタッチパネル５０の制御の処理Ｓ２１〜Ｓ３３の流れを例示するフローチャートである。なお、図９の各処理は、カバー状態判定部１４による判定処理、および、カバー状態判定値Ｎに基づく各種の処理を除いては、上述の図７と同様である。このため、図７と同様の処理については説明を適宜省略する。
【０１４０】
まず、音声レベル判定部１３は、上述の処理Ｓ１と同様に、音声レベル判定値Ｍを初期化する（Ｓ２１）。その後、ユーザが電話着信に応答した場合（Ｓ２４でＹＥＳ）、タッチパネル制御部１２は、タッチパネル５０の全体に通話中画面を表示させる（Ｓ２５）。
【０１４１】
続いて、音声レベル判定部１３は、上述の処理Ｓ１１と同様に、音声レベル判定値Ｍを取得する（Ｓ２６，音声レベル判定工程）。そして、タッチパネル制御部１２は、処理Ｓ２７〜Ｓ３１（通話制御工程）において、音声レベル判定値Ｍに応じて、タッチパネル５０の動作を制御する。処理Ｓ２６〜Ｓ３１は、タッチパネル制御部１２による制御の対象が、タッチパネル５０の全体であるという点（小窓５０ａではないという点）においてのみ、上述の処理Ｓ１２〜Ｓ１６と相違する。以降の処理は、図７と同様であるため、説明を省略する。
【０１４２】
（携帯端末２の効果）
携帯端末２によれば、カバー開状態において近接センサ８０を使用しない場合であっても、通話モード（ユーザの音声通話時）において、音声レベル判定部１３の判定結果（音声レベル判定値Ｍ）に応じて、タッチパネル５０の動作を制御できる。それゆえ、実施形態１と同様に、通話モードにおける省電力とユーザの誤入力の低減とを実現することが可能となる。
【０１４３】
また、携帯端末２から近接センサ８０を取り除くこともできるので、携帯端末２のコストを低減することも可能となる。
【０１４４】
〔実施形態３〕
上述の実施形態１・２では、音声レベルＳＬに対する２つの閾値（換言すれば、３通りの音声レベル判定値Ｍ）に応じて、３通りの明るさの設定値を設定（選択）する場合を例示した。但し、音声レベルＳＬに対する閾値の個数は、２つに限定されない。当該閾値の個数ｎは、１であってもよいし、あるいは３以上であってもよい。ｎは任意の自然数であればよい。
【０１４５】
本発明の一態様に係る携帯端末では、音声レベルＳＬに対するｎ個の閾値（第１閾値、第２閾値、…、第ｎ閾値の順に、より大きく値を設定すればよい）を用いることにより、（ｎ＋１）通りの音声レベル判定値Ｍを規定できる。それゆえ、ｎ個の閾値を用いた場合には、（ｎ＋１）通りの音声レベル判定値Ｍに応じた、（ｎ＋１）通りの明るさの設定値をあらかじめ設定しておけばよい。上述の実施形態１・２は、ｎ＝２の場合の例である。
【０１４６】
〔ソフトウェアによる実現例〕
携帯端末１・２の制御ブロック（特に制御部１０・２０）は、集積回路（ＩＣチップ）等に形成された論理回路（ハードウェア）によって実現してもよいし、ＣＰＵ（Central Processing Unit）を用いてソフトウェアによって実現してもよい。
【０１４７】
後者の場合、携帯端末１・２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１４８】
〔まとめ〕
本発明の態様１に係る携帯端末（１）は、音声入力部（マイク６１）、入力部（５１）、および表示部（５２）を備えた携帯端末であって、ユーザの音声通話時において、上記音声入力部に入力された音声の大きさの程度を判定する音声レベル判定部（１３）と、上記音声レベル判定部の判定結果に基づいて、上記音声通話時における上記入力部および上記表示部の少なくともいずれかの動作を制御する通話制御部（タッチパネル制御部１２）と、を備えている。
【０１４９】
上記の構成によれば、音声通話時におけるユーザの発話態様に応じて、入力部および表示部の少なくともいずれかの動作を制御できる。例えば、音声信号が比較的大きい場合（ユーザが発話を行っており、当該ユーザに画像による情報を提示する必要性が低いと考えられる場合）には、表示部の明るさを暗く設定してもよい。これにより、携帯端末の省電力を実現できる。
【０１５０】
さらに、表示部の明るさを暗く設定した場合には、表示部がより明るい場合に比べて、ユーザに表示部への視覚的な注意を惹きつけない。このため、ユーザが入力部への入力操作を行う可能性を低減できる。それゆえ、ユーザの誤入力を低減することもできる。それゆえ、本発明の一態様に係る携帯端末によれば、ユーザの音声通話時における省電力とユーザの誤入力の低減とを実現することが可能となる。
【０１５１】
なお、上述のように、本発明の一態様に係る携帯端末の構成は、当該携帯端末に設けられた近接センサの検出結果を有効に利用できない場合においても、ユーザの音声通話時における携帯端末の省電力と当該ユーザの誤入力の低減とを実現することを目的として、発明者らによって想到されたものである。
【０１５２】
また、本発明の一態様に係る携帯端末によれば、当該携帯端末に近接センサを設けないこともできる。それゆえ、携帯端末のコストを低減することも可能となる。
【０１５３】
本発明の態様２に係る携帯端末は、上記態様１において、上記通話制御部が、上記音声が大きくなるにつれて、上記表示部の明るさをより暗く設定することが好ましい。
【０１５４】
上記の構成によれば、音声通話時におけるユーザの発話態様に応じて、表示部の動作を好適に制御することが可能となる。
【０１５５】
本発明の態様３に係る携帯端末は、上記態様１または２において、上記音声レベル判定部が、上記音声の大きさが所定の閾値（例：第１閾値ＴＨ１）以上であることを判定した場合に、上記通話制御部は、上記表示部を消灯させることが好ましい。
【０１５６】
上述のように、音声の大きさが所定の閾値以上である場合には（例えば上述の音声レベル大状態では）、ユーザに画像による情報を提示する必要性が低いと言える。そこで、上記の構成によれば、ユーザに画像による情報を提示する必要性が低い場合に表示部を消灯できるので、携帯端末の消費電力を効果的に低減できる。
【０１５７】
本発明の態様４に係る携帯端末は、上記態様１から３のいずれか１つにおいて、上記音声レベル判定部が、上記音声の大きさが所定の閾値（例：第１閾値ＴＨ１）以上であることを判定した場合に、上記通話制御部は、上記入力部に入力受付を無効化させることが好ましい。
【０１５８】
上述のように、音声の大きさが所定の閾値以上である場合には（例えば上述の音声レベル大状態では）、ユーザが例えば耳（ユーザの顔の部位の一例）に携帯端末を近付けて発話を行っていることが想定される。この場合、耳が入力部（例：タッチパネル５０）に接触することにより、ユーザの意図しない誤入力が生じることも考えられる。
【０１５９】
そこで、上記の構成によれば、ユーザの意図しない誤入力が生じる可能性が高いと考えられる場合に、入力部に入力受付を無効化させることができる。それゆえ、誤入力を効果的に抑制できる。また、入力部に入力受付を無効化させることにより、携帯端末の消費電力を低減することもできる。
【０１６０】
本発明の態様５に係る携帯端末は、上記態様１から４のいずれか１つにおいて、上記携帯端末が、当該携帯端末に着脱可能な保護カバー（カバー１００）によって保護された状態をカバー閉状態として、上記保護カバーには、上記カバー閉状態において、上記入力部および上記表示部の少なくともいずれかを部分的に露出させる開口部（１１０）が設けられており、上記携帯端末が上記カバー閉状態にあるか否かを示すカバー状態判定部（１４）をさらに備えており、上記通話制御部は、上記カバー状態判定部の判定結果にさらに基づいて、上記音声通話時における上記入力部および上記表示部の少なくともいずれかの動作を制御することが好ましい。
【０１６１】
上記の構成によれば、例えば携帯端末がカバー閉状態にある場合においてのみ、通話制御部によって入力部および表示部の少なくともいずれかの動作を制御できる。このため、携帯端末がカバー閉状態にある場合においても、本発明の一態様に係る携帯端末と同様の効果を奏する。
【０１６２】
一例として、携帯端末に近接センサ（例：図２の近接センサ８０）が設けられた場合を考える。上述のように、携帯端末がカバー閉状態にある場合には、近接センサが保護カバーに覆われるため、当該近接センサの検出結果を有効に利用できない（参照：図３の（ｂ）等）。このため、携帯端末がカバー閉状態にある場合には、通話制御部によって入力部および表示部の少なくともいずれかの動作を制御する必要性が高いと言える。
【０１６３】
本発明の態様６に係る携帯端末は、上記態様１から５のいずれか１つにおいて、上記入力部および上記表示部は、当該入力部と当該表示部とが一体として設けられたタッチパネル（５０）であり、上記通話制御部は、上記音声通話時における上記タッチパネルの動作を制御することが好ましい。
【０１６４】
上記の構成によれば、タッチパネルを入力部および表示部として用いた場合にも、本発明の一態様に係る携帯端末と同様の効果を奏する。
【０１６５】
本発明の態様７に係る携帯端末の制御方法は、音声入力部、入力部、および表示部を備えた携帯端末の制御方法であって、ユーザの音声通話時において、上記音声入力部に入力された音声の大きさの程度を判定する音声レベル判定工程と、上記音声レベル判定工程における判定結果に基づいて、上記音声通話時における上記入力部および上記表示部の少なくともいずれかの動作を制御する通話制御工程と、を含んでいる。
【０１６６】
上記の構成によれば、本発明の一態様に係る携帯端末と同様の効果を奏する。
【０１６７】
本発明の各態様に係る携帯端末は、コンピュータによって実現してもよく、この場合には、コンピュータを上記携帯端末が備える各部（ソフトウェア要素）として動作させることにより上記携帯端末をコンピュータにて実現させる携帯端末の制御プログラム、およびそれを記録したコンピュータ読み取り可能な記録媒体も、本発明の範疇に入る。
【０１６８】
また、本発明の一態様に係る制御装置（制御部１０）は、音声入力部、入力部、および表示部を備えた携帯端末を制御する制御装置であって、ユーザの音声通話時において、上記音声入力部に入力された音声の大きさの程度を判定する音声レベル判定部と、上記音声レベル判定部の判定結果に基づいて、上記音声通話時における上記入力部および上記表示部の少なくともいずれかの動作を制御する通話制御部と、を備えている。
【０１６９】
上記の構成によれば、本発明の一態様に係る携帯端末と同様の効果を奏する。
【０１７０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成できる。
【符号の説明】
【０１７１】
１，２  携帯端末
１０，２０  制御部（制御装置）
１２  タッチパネル制御部（通話制御部）
１３  音声レベル判定部
１４  カバー状態判定部
５０  タッチパネル（入力部，表示部）
５１  入力部
５２  表示部
６１  マイク（音声入力部）
１００  カバー（保護カバー）
１１０  開口部
Ｍ  音声レベル判定値（指標値）
ＴＨ１  第１閾値（閾値）
ＴＨ２  第２閾値
【図１】
2018142918.tif 000003
【図２】
2018142918.tif 000004
【図３】
2018142918.tif 000005
【図４】
2018142918.tif 000006
【図５】
2018142918.tif 000007
【図６】
2018142918.tif 000008
【図７】
2018142918.tif 000009
【図８】
2018142918.tif 000010
【図９】
2018142918.tif 000011